(57)【要約】    【課題】  市販の製品入りペーパー箱を有効な広告媒体として利用できるようにする。    【解決手段】ペーパー箱は、紙材により直方体又は立方体に箱本体が組み立てられ、箱本体の内部に製品が収納されている。箱本体に、スポンサーの広告が掲載された宣伝広告欄が設けられている。更に箱本体には、受取人の住所氏名がプリントされた受取人情報掲載部と、返信者の住所氏名を含む返信者情報を記載するための返信者情報欄と、クイズの問題を掲載したクイズ情報掲載欄を備えた返信用はがきが剥離可能に貼付されている。【選択図】  図１
2010173735.tif 000002
【特許請求の範囲】
【請求項１】
紙材により直方体又は立方体に組み立てられた箱本体の内部に製品が収納されたペーパー箱であって、前記箱本体に、受取人の住所氏名がプリントされた受取人情報掲載部と、返信者の住所氏名を含む返信者情報を記載するための返信者情報欄と、クイズの解答を記入するための欄を含むクイズ情報掲載欄とを備えたクイズや抽選に応募するための返信用はがきを剥離可能に貼付し、前記箱本体にスポンサーの広告を掲載した宣伝広告欄を設けたことを特徴とするペーパー箱。
【請求項２】
前記返信用はがきを、そのクイズ情報掲載欄を表側にして前記箱本体の表側に剥離可能に貼付し、該返信用はがきの接着面側に、くじの即日当落結果を表示するくじ情報掲載欄を設けたことを特徴とする請求項１に記載のペーパー箱。                                                           
【請求項３】
前記返信用はがきを、前記箱本体の内部の壁面に剥離可能に貼付し、該返信用はがきの接着面側に、くじの即日当落結果を表示するくじ情報掲載欄を設けたことを特徴とする請求項１に記載のペーパー箱。
【請求項４】
前記箱本体内に収納された製品が多数重層配置されたティッシュペーパーであり、該ティッシュペーパーを前記箱本体に設けたティッシュ取り出し用のスリットから順次引き出すように構成されていることを特徴とする請求項１乃至３の中のいずれか１つに記載のペーパー箱。
【発明の詳細な説明】
【技術分野】
【０００１】
本発明は、箱本体にスポンサーの広告を掲載した宣伝広告欄を備えるとともに、箱本体に、賞品や賞金付きのクイズの問題を印刷したクイズや抽選の応募用の返信用はがきを剥離可能に貼付したティッシュペーパー箱などのペーパー箱に関する。
【背景技術】
【０００２】
ボックスティッシュの取り出し口の切り取り片と保護シートを特定の用途に利用し得る形態にすることが提案されている（例えば特許文献１参照）。この従来技術には、ボックスティッシュにおいて、収納箱上面に形成する切り取り部が郵便はがきの大きさに形成され、且つその切り取り片の表裏いずれかの面には、少なくとも郵便はがきの宛先等の表書き様式が印刷され、切り取り片をはがきとして利用することが開示されている。
【先行技術文献】
【特許文献】
【０００３】
【特許文献１】特開２００３−３２７２８０号公報
【発明の概要】
【発明が解決しようとする課題】
【０００４】
通常市販されているティッシュペーパー、ＣＤ、コンピュータソフトパッケージなどの各種製品の入ったペーパー箱はそのメーカーの広告面として使用されているものはあるが、不特定のスポンサー企業の宣伝媒体として使用されていない。そのため、各種製品入りペーパー箱の販売価格はその製造費、原材料費等に基づいて決定され、広告掲載料はその価格に反映されていない。そのため製品入りペーパー箱を現在の販売価格より更に引き下げることは難しいのが現状である。
本発明は上記問題点を解決することを目的とするものである。
【課題を解決するための手段】
【０００５】
上記目的を達成するため本発明は、紙材により直方体又は立方体に組み立てられた箱本体の内部に製品が収納されたペーパー箱であって、前記箱本体に、受取人の住所氏名がプリントされた受取人情報掲載部と、返信者の住所氏名を含む返信者情報を記載するための返信者情報欄と、クイズの解答を記入するための欄を含むクイズ情報掲載欄とを備えたクイズや抽選に応募するための返信用はがきを剥離可能に貼付し、前記箱本体にスポンサーの広告を掲載した宣伝広告欄を設けたものである。
また本発明は、前記返信用はがきを、そのクイズ情報掲載欄を表側にして前記箱本体の表側に剥離可能に貼付し、該返信用はがきの接着面側に、くじの即日当落結果を表示するくじ情報掲載欄を設けたものである。
また本発明は、前記返信用はがきを、前記箱本体の内部の壁面に剥離可能に貼付し、該返信用はがきの接着面側に、くじの即日当落結果を表示するくじ情報掲載欄を設けたものである。
また本発明は、前記箱本体内に収納された製品が多数重層配置されたティッシュペーパーであり、該ティッシュペーパーを前記箱本体に設けたティッシュ取り出し用のスリットから順次引き出すように構成したものである。
【発明の効果】
【０００６】
本発明は、通常市販されているティッシュペーパー入りティッシュペーパー箱などのペーパー箱に、不特定の企業とタイアップして、クイズやくじ等で懸賞品が当たる、応募用の返信用はがきの付いた、企業の宣伝広告を載せることでメーカー側は企業から広告掲載料を受け取ることができる。そのため、この広告掲載料を各種製品入りペーパー箱の製品価格に反映させることで、ペーパー箱に入った製品の値段を下げることができ、しかもメーカー側は広告掲載料で利益を得ることができる。また返信用はがきを箱本体から剥離可能とすることで、ペーパー箱購入者が返信用はがきを簡単に利用することができる。
【図面の簡単な説明】
【０００７】
【図１】ティッシュペーパー箱の底面方向から見た外観図である。
【図２】返信用はがきを剥離した状態のティッシュペーパー箱の底面図である。
【図３】ティッシュペーパー箱の底面方向から見た外観図である。
【図４】ティッシュペーパー箱の展開した状態の平面図である。
【発明を実施するための最良の形態】
【０００８】
以下に本発明の実施の形態を添付した図面を参照して詳細に説明する。
図１は本考案の一実施形態に係るティッシュペーパー箱の箱本体２を底部を上にした外観図を示している。紙製の箱本体２は、正面板４（図４参照）と、背面板６と、上面板８と、底面板１０と、側面板１２ａ，１２ｂ，１４ａ，１４ｂと、のり付け片１６，１８，２０，２２，２３（図４参照）とから構成されている。
【０００９】
これら箱本体２の各部の境界には、折り曲げ部が設けられ、箱本体２の組み立て時、箱本体２各部の境界を容易に屈折させて、箱本体２を直方体から成る箱状にすることができるように構成されている。箱本体２は、組み立て工程で前記折り曲げ部を基準として、所定の方向に屈折され箱状とされ、内部にティッシュペーパー（図示省略）が収納される。
【００１０】
また更に、のり付け片１６，１８，２０，２２，２３や側面板１２ａ，１２ｂ間及び側面板１４ａ，１４ｂ間にのり付けが行われて図１に示すティッシュペーパー入りティッシュペーパー箱が完成する。箱本体２の上面板８の中央部には、カット線によって囲まれた切取部２４が設けられ、この切取部２４をカット線に沿って切除すると開口部となる。
【００１１】
この開口部は、上面板８の裏面側に貼り付けられているフイルム状の合成樹脂シートにより閉塞されており、この合成樹脂シートの中央部に箱本体２の長手方向に直線状のスリットが設けられいる。ティッシュペーパー箱の内部に収納されているティッシュペーパー（図示省略）はこのスリットを通して断続的に順次引き出せるようにしてある。
【００１２】
前記底面板１０の外側即ち表側１０ａには、透明な剥離用接着材により形成されたはがき大の接着スペース２６が設けられている。この接着スペース２６に、返信用はがき２８があて名面２８ａを下にし、裏側２８ｂを上にして、剥離可能に接着されている。返信用はがき２８の裏側には、景品や賞金等の付いたクロスワードパズル問題や絵柄、漢字クイズなどのクイズの情報及びクイズの解答を記入するための解答記入欄が掲載されたクイズ情報掲載欄３０とスポンサーの広告が掲載された宣伝広告欄３２がプリントされている。なお、クイズ情報掲載欄３０に、クイズの問題を掲載せず、クイズ解答記入欄のみ掲載し、クイズ問題は箱本体２の他の壁面にプリントするようにしても良い。
【００１３】
前記底面板１０の外側の面１０ａには、図２に示すように、前記接着スペース２６の枠内と枠外に、クイズの応募要領や抽選方法等を記載したクイズ・抽選情報掲載欄３６、大当たり景品の写真が掲載された見本掲載欄３８及びスポンサーの宣伝広告欄３４が設けられ、他の、正面板４、上面板８、背面板６及び側面板１２ａ，１２ｂ，１４ａ，１４ｂの外側の各面も、スポンサーの宣伝広告面やペーパー箱メーカーの広告面を構成している。
【００１４】
郵便番号欄等の所定のはがき様式がプリントされた返信用はがき２８の宛名面には、くじやクイズの提供企業（スポンサー）又はその代理人である受取人の情報が記載された受取人情報掲載部４０と、返信者情報記載欄４２と、くじの即日当落結果を表示するくじ情報掲載欄４４と、応募シール貼付欄４６がプリントされている。
【００１５】
返信者情報記載欄４２には、返信者の住所、氏名、電話番号等の返信者情報を書き込むための空欄が設けられている。くじ情報掲載欄４４には、「大当たり、当選商品です  おめでとうございます」の記載とともに、当選賞品の写真が掲載され、あるいは、「残念です！次回をお楽しみください」という文章が記載されている。箱本体２の底面の表側に、返信用はがき２８が貼付されているティッシュペーパー箱は、返信用はがきの付いていない４個のティッシュペーパー箱とともに、全５箱を１セットとして店頭で販売される。
【００１６】
５個のティッシュペーパー箱は重ねられて透明なビニールシートで包装される。５個のティッシュペーパー箱の中、返信用はがき貼付ていないペーパー箱は、返信用はがきの代わりに、図３に示すようにもシール状の応募券４８が剥離自在に貼付されている。セットで販売されるティッシュペーパー箱は、ビニールで包装されるため、箱本体２の外側の表面に貼付される返信用はがき２８が、店頭でいたずらにより剥がされることがない。
【００１７】
１セットの他の４個のティッシュペーパー箱は、返信用はがきが貼付されていない。そしてこの返信用はがきの替わりに応募券４８のシールが剥離自在に貼付されている。その他の構成は、返信用はがき付きティッシュペーパー箱と同一である。
上記した構成において、５個が１セットとなったティッシュペーパー入りティッシュペーパー箱を購入した消費者は、ビニールの包装を解き、返信用はがき付きティッシュペーパー箱の箱本体２に貼付されている返信用はがき２８を箱本体２の底面から剥がす。
【００１８】
この箱本体２の底面板１０には、返信用はがき２４を剥ぎ取りやすいように、切り取り目で囲まれた穴形成部５０が設けられている。消費者は、穴形成部５０を指で押して当該部分を切り取り目に沿って取り去ることで、この部分に穴を形成し、この穴を利用して、返信用はがき２８のコーナーを指で摘み、返信用はがき２８を箱本体２から剥離する。
【００１９】
購入者はこの剥ぎ取った返信用はがき２８の返信者情報欄４２に、購入者の住所氏名そのた必要な事項を記入し、シール貼付欄４６に他の４箱のペーパー箱に貼ってある４枚の応募券４８を貼り、且つ、クイズ情報掲載欄３０にクイズの解答を記入して、返信用はがき２８を投函する。返信用はがきを受け取ったスポンサーは、正解者のみ抽選で懸賞品を後日郵送する。返信用はがき２８を受け取った側は応募はがきの数によって宣伝広告効果を確認することができる。
【００２０】
上記実施形態は、箱本体２の底面の外部から見える表面に返信用はがき２８を貼付しているが、図４に示すように、箱の外からは見えない、箱本体２の内側の内壁面に貼付しても良い。図４は、箱本体２を毀し、平面上に展開した展開図を示している。図４に示す実施形態では、箱本体２の底面板１０の内側即ち裏側に、返信用はがき２８を、あて名面を下にして剥離可能に貼付している。
【００２１】
この構成のティッシュペーパー箱は、複数個まとめたセット販売ではなく、単体で販売する場合に適している。単体で販売されるティッシュペーパー箱はビニールの包装がないため、箱本体２の外側に返信用はがきを貼付した場合、いたずらで剥がされる恐れがあるが、返信用はがきを箱本体２の内側に配置することで、このいたずらを防止できる。箱本体２の表側の構成は、図３に示す構成と同一である。また、箱本体２の底面板１０の内側裏面の表示欄の構成は、図２に示す、底面板１０の外側表面の表示欄と同一である。
【００２２】
上記実施形態は、ティッシュペーパー箱について説明しているが、本発明は特にティッシュペーパー箱に限定されるものではなく、コンピュータソフトパッケージや、ＣＤその他各種の製品の入ったペーパー箱に応用することができる。
【符号の説明】
【００２３】
２      箱本体
４      正面板
６      背面板
８      上面板
１０    底面板
１２ａ  側面板
１２ｂ  側面板
１４ａ  側面板
１４ｂ  側面板
１６    のり付け片
１８    のり付け片
２０    のり付け片
２２    のり付け片
２３    のり付け片
２４    切り取り部
２６    接着スペース
２８    返信用はがき
２８ａ  あて名面
２８ｂ  裏側
３０    クイズ情報掲載欄
３２    宣伝広告欄
３４    宣伝広告欄
３６    抽選情報掲載欄
３８    大当たり見本掲載欄
４０    受取人情報掲載欄
４２    返信者情報記載欄
４４    くじ情報掲載欄
４６    応募シール貼付欄
４８    応募券
５０    穴形成部
【図１】
2010173735.tif 000003
【図２】
2010173735.tif 000004
【図３】
2010173735.tif 000005
【図４】
2010173735.tif 000006